(57)【要約】【課題】従来の電動送風機では、エアーガイド中央部での空気洩れにより、電動送風機の吸引性能を低下させていた。【解決手段】エアーガイド１０中央に設けた略円形の中央窪み部２０１裏側外周面については、対向する負荷側ブラケット５の端面を負荷側に折り曲げたブラケット折り曲げ淵２０５と合致させた形状とすることで、エアーガイド１０の中心位置決めを確実に実施でき、結果、エアーガイド１０の中央タイト部での僅かな空気洩れをなくし、吸込性能の向上を実現した電動送風機を提供することが可能となる。【選択図】図１
2010249037.tif 000002
【特許請求の範囲】
【請求項１】
電機子巻線、軸、及び整流子を有する電機子と、界磁巻線を有する界磁と、前記電機子の一端を軸受を介して回転自在に支持し、整流子と電気的接続をするためのブラシホルダーを保持した反負荷側ブラケット及び負荷側ブラケットと、前記電機子の一端に固定され外周に空気吹き出し用の吹き出し口を設けたインペラと、前記インペラ吹き出し口からの吹き出し風を整流する複数枚の案内翼を配設したエア−ガイドと、前記インペラ、エアーガイドを覆う板金などからなるケーシングからなり、前記エアーガイド中央部については、電機子の負荷側軸受を収めた負荷側ブラケットの軸受室とタイトするための穴が略円形の窪みの中央に設けられており、穴部の先端は負荷側ブラケットの軸受室根元部とスラスト方向でタイトするために細いリブが設けられていると共に、略円形の窪みの裏側外周面については、対向する負荷側ブラケットの端面を負荷側に折り曲げた淵と合致させた形状として、略円形の窪みの裏側外周面と負荷側ブラケットの淵面の隙間を抑えた電動送風機。
【請求項２】
エアーガイド中央部の略円形の窪み部裏側外周面については、放射状のリブを複数本設けて、複数本のリブ先端と負荷側ブラケットの端面を負荷側に折り曲げた淵面との隙間を抑えた請求項１記載の電動送風機。
【請求項３】
負荷側ブラケットの端面を負荷側に折り曲げた淵は一部切り欠き部を設け、切り欠き部には略円形の窪みの裏側外周面、もしくは放射状のリブ先端が入り込む形状とした請求項１または２に記載の電動送風機。
【請求項４】
塵埃を捕集する集塵室と、前記集塵室に連通するように接続される吸気部と、請求項１〜３のいずれか１項に記載の電動送風機を備えた電気掃除機。
【発明の詳細な説明】
【技術分野】
【０００１】
本発明は、主に電気掃除機に使用される電動送風機に関するものであり、エアーガイド中央部のタイトをスラスト方向で実施する場合においての位置決め精度向上を図ることにより、電気掃除機の基本性能である吸引性能の向上を低価格で実現可能とするものである。
【背景技術】
【０００２】
従来の電動送風機としては特許文献１のような電動送風機がある。
【０００３】
従来この種の電動送風機１９は図４，５に示されるような構造になっていた。モ−タ部３２の５１は整流子５２、電機子巻線２２を有する電機子で、前記電機子巻線２２は電機子コアー７０の外周に巻かれている。前記電機子１はモ−タの軸５３の両端に軸受４が圧入され、この軸受４を負荷側ブラケット５と反負荷側ブラケット６にて支持しており、７はカ−ボンブラシ８を内蔵した金属からなるブラシホルダーであり、反負荷側ブラケット６にて保持されている。９は界磁巻線を有する界磁で、前記界磁巻線２３は界磁コアー７２の外周に巻かれている。
【０００４】
ファン部３１の１０は負荷側ブラケット５と、負荷であり空気吸引、吹き出し用のインペラ１１間に形成した整流用のエア−ガイドであり、複数枚からなる案内翼１１０を有し、中央部には負荷側ブラケット５の軸受室２００外周根元部でタイトするために、中央部を略円形の窪み形状とした中央窪み部２０１を有し、前記中央窪み部２０１の更に中心に設けた円形穴２０２の先端には細いタイトリブ２０３を負荷側ブラケット５に向けて設け、インペラ１１の上方は板金などからなるケ−シング１２で覆われている。インペラ１１はスペーサー（図示せず）、板金などからなる座金１４、及びナット１５により軸５３に固定され、軸５３とともに回転する。エア−ガイド１０は、ネジ２０４等にて負荷側ブラケット５に固定しており、負荷側ブラケット５と反負荷側ブラケット６もネジ（図示せず）等にて固定してある。１６は、ケ−シング１２の吸気口を形成する樹脂などからなるタイトキャップであり、ケ−シング１２中央部へは溶着等で固定しており、インペラ１１の吸込口とタイトキャップ１６は接触することで、タイト性を確保している。
【０００５】
このような構造で電動送風機１９は構成されており、作用としてはインペラ１１が回転することによって発生する吹き出し風が、インペラ１１の吹き出し口外周に設けた整流用のエア−ガイド１０を通過した後、モ−タ部３２の電機子１、界磁９の巻線を冷却し、反負荷側ブラケット６を通過して後方に排気される。
【０００６】
前記電動送風機１９が電気掃除機に組み込まれる場合については、図６のような構造となっていた。電気掃除機本体６１（以下、本体と称す）は中央部に設けられた格子隔壁５３により集塵室８１とモ−タ室８２に分けられており、集塵室８１には紙袋５４、モ−タ室８２には電動送風機１９が備えつけられている。本体６１には接続パイプ６０、ホ−ス５９、先端パイプ５８、延長管５７、ノズル５６が接続されている。よって作用としては、電動送風機１９の吸引力によりノズル５６から集められたゴミは、延長管５７、先端パイプ５８、ホ−ス５９、接続パイプ６０を通り、集塵室８１の紙袋５４に集められる。
【特許文献１】特開２００７−２７０６３３号公報
【発明の開示】
【発明が解決しようとする課題】
【０００７】
従来の電動送風機１９では、エアーガイド１０の中央部のタイトを、細いタイトリブ２
０３によりスラスト方向で実施しているため、円形からなるタイトリブ２０３の中心と、負荷側ブラケット５の軸受室２００の中心ずれがないこと、すなわち位置ずれがないことが、タイト精度を向上させるためにも不可欠であり、エアーガイド１０裏面に設けたボスなどにより、一定程度の位置決めは実施してきたものの、完全で精度の高い位置決めとはなっていなかった。従って、非常に僅かではあるが径方向に対して中心ずれが発生し、結果エアーガイド１０中央部での空気洩れにより、電動送風機１９の吸引性能を低下させていた。
【０００８】
発明は上記課題を解決するもので、エアーガイド１０の円形穴２０２先端に設けたタイトリブ２０３と負荷側ブラケット５の軸受室２００外周根元部との径方向に対する僅かな中心ずれをなくすことにより、エアーガイド１０の中央タイト部での僅かな空気洩れをなくし、吸込性能の向上を実現した電動送風機１９を提供することが可能となる。
【課題を解決するための手段】
【０００９】
前記従来の課題を解決するために、本発明の電動送風機は、エアーガイド中央に設けた略円形の窪みの裏側外周面については、対向する負荷側ブラケットの端面を負荷側に折り曲げた淵と合致させた形状とし、略円形の窪みの裏側外周面と負荷側ブラケットの淵面については、隙間を抑えた寸法設定としたものである。
【００１０】
これによって、エアーガイドの中央タイト部での僅かな空気洩れをなくし、吸込性能の向上を実現した電動送風機を提供することが可能となる。
【発明の効果】
【００１１】
本発明の電動送風機は、エアーガイドの中央タイト部での僅かな空気洩れをなくすことで、吸込性能の向上を実現した電動送風機を提供することができるものである。
【発明を実施するための最良の形態】
【００１２】
第１の発明は、電機子巻線、軸、及び整流子を有する電機子と、界磁巻線を有する界磁と、前記電機子の一端を軸受を介して回転自在に支持し、整流子と電気的接続をするためのブラシホルダーを保持した反負荷側ブラケット及び負荷側ブラケットと、前記電機子の一端に固定され外周に空気吹き出し用の吹き出し口を設けたインペラと、前記インペラ吹き出し口からの吹き出し風を整流する複数枚の案内翼を配設したエア−ガイドと、前記インペラ、エアーガイドを覆う板金などからなるケーシングからなり、前記エアーガイド中央部については、電機子の負荷側軸受を収めた負荷側ブラケットの軸受室とタイトするための穴が略円形の窪みの中央に設けられており、穴部の先端は負荷側ブラケットの軸受室根元部とスラスト方向でタイトするために細いリブが設けられていると共に、略円形の窪みの裏側外周面については、対向する負荷側ブラケットの端面を負荷側に折り曲げた淵と合致させた形状とし、略円形の窪みの裏側外周面と負荷側ブラケットの淵面については、隙間を抑えた寸法設定とすることで、エアーガイドの中央タイト部での僅かな空気洩れをなくし、吸込性能の向上を実現した電動送風機を提供することが可能となる。
【００１３】
第２の発明は、第１の発明において、エアーガイド中央部の略円形の窪み部裏側外周面については、放射状のリブを複数本設け、複数本のリブ先端と負荷側ブラケットの端面を負荷側に折り曲げた淵面との隙間を抑えた寸法設計とすることにより、エアーガイド底面肉厚を均一に設計するなどの自由度が増すため、成型時の歪みやたわみを防止し、より精度の高い形状でエアーガイドの成型を実施することが可能となる。
【００１４】
第３の発明は、第１または第２の発明において、負荷側ブラケットの端面を負荷側に折り曲げた淵は一部切り欠き部を設け、切り欠き部には略円形の窪みの裏側外周面、もしくは放射状のリブ先端が入り込む形状とすることにより、軸を中心とした回転方向に対して
も、より確実に位置決め、ガタ止めを実施することが可能なため、よりエアーガイドの中央タイト部での僅かな空気洩れをなくすことができる。
【００１５】
第４の発明は、塵埃を捕集する集塵室と、前記集塵室に連通するように接続される吸気部と、第１〜第３のいずれか１つの発明の電動送風機を搭載することにより、電気掃除機の吸込性能の向上を図ることができる。
【００１６】
（実施の形態１）
以下、本発明の実施例を図面に沿って説明する。従来の技術と同一の構成には同一の符号を付して説明を省略する。図５は従来のファン部３１の拡大部分断面図であり、エアーガイド１０の中央部については、軸５３を通すために、必然的に円形穴２０２が必要となる。従って、インペラ１１から吹き出された吹き出し風が、エアーガイド１０に複数枚備えた案内翼１１０間を通過し、モータ部３２に全て入りこむのが理想であるが、エアーガイド１０の中央部の円形穴２０２を確実にタイトできない場合、インペラ１１からの吹き出し風の一部が、円形穴２０２の僅かな隙間を通り、モータ部３１側へ回り込むルートが出来、それがロスとなってしまう。加えて、インペラ１１の中心と、エアーガイド１０の中心に僅かなずれが生じるために、インペラ１１の吹き出し外径とエアーガイド１０の複数枚設けた案内翼１１０の入口先端部との距離Ｃに偏りが生じ、ファン部での効率低下に繋がってしまう。
【００１７】
これを防ぐために、エアーガイド１０の円形穴２０２の先端部には、図５にも示しているように、スラスト方向でタイトするための、タイトリブ２０３を設けることにより、洩れ発生がないようタイト性を確保している。しかしながら、エアーガイド１０を負荷側ブラケット５に固定するための、ネジ２０４を締め付けるための穴にもネジ２０４外径を若干のクリアランスを要しているため、負荷側ブラケット５の軸受室２００の中心と、エアーガイド１０の円形穴２０２の中心は、前記ネジ２０４締め付け穴とネジ２０４外径とのクリアランス分だけ、径方向にずれが生じる可能性がある。従って、中心位置決めをするために、エアーガイド１０の最外径Ａと負荷側ブラケット５の折り返し部内径Ｂを現物寸法上一致させ、径Ａと径Ｂの隙間をなくすことで、中心位置決めを行うことも可能ではあるが、径Ａはエアーガイド１０の最外径寸法であるため、成型条件や材料ロットなどの非常に僅かな生産上のばらつきで、径にも寸法ばらつきが生じてしまう可能性が大きく、また、本実施の形態では、径Ｂは負荷側ブラケット５で形成されているものの、反負荷側ブラケット６で径Ｂを形成している場合も多く、このような場合、軸受室２００の中心と、径Ｂの中心にずれが生じるため、径Ｂでエアーガイド１０の中心位置決めを行うことが得策ではなくなる。
【００１８】
従って図１に示すように、本実施の形態としては、エアーガイド１０の中央窪み部２０１を形成している径方向の肉厚などを調整し、中央窪み部２０１の裏側外径Ｄを負荷側ブラケット５のブラケット折り曲げ淵２０５を隙間なく現物調整することで、負荷側ブラケット５の軸受室２００の中心と、エアーガイド１０の円形穴２０２の中心を中心位置決めすることが可能となる。これにより、円形穴２０２の先端に設けたタイトリブ２０３は、軸受室２００の根元部でずれなくスラストタイトすることができるため、円形穴２０２からの洩れを抑え、吸引性能の向上を図ることが可能となる。
【００１９】
しかしながら、図１の場合、中央窪み部２０１の裏側外径Ｄを負荷側ブラケット５のブラケット折り曲げ淵２０５を隙間なくするために、肉厚で調整することが容易ではあるが、エアーガイド１０底面の一部のみ肉厚が厚くなると、成型後のエアーガイド１０のソリに影響するため、最適な方法とは言い難い。従って図２に示すように、エアーガイド１０の中央窪み部２０１の裏面については、放射状の位置決めリブ２０６を複数本備えることで、エアーガイド１０底面の肉厚を均等化しながら、負荷側ブラケット５のブラケット折
り曲げ淵２０５との隙間埋めを行い、中心位置決めを行うことが可能となる。
【００２０】
また、図３に示すように、負荷側ブラケット５のブラケット折り曲げ淵２０５の一部に切り欠きを設け、その切り欠きに一致した回り止めリブ２０７を、エアーガイド１０の中央窪み部２０１の裏側に設けることで、エアーガイド１０の周方向に対しての位置決めも同時に実施することが可能となる。
【００２１】
最後に上述で示してきた電動送風機１９を、図６に示す電気掃除機本体６１に組み込んだ場合には、よりエアーガイド１０中央部での洩れ抑制、すなわちより高効率化を図った電動送風機１９の搭載が可能となるため、本体６１の吸込性能の向上を図ることが可能となる。
【産業上の利用可能性】
【００２２】
以上のように、本発明にかかる電動送風機は、エアーガイド中央部の洩れによるロス低減を図ることができ、結果、小型・軽量で且つ高効率な吸引性能を得ることが可能であるため、床移動型交流掃除機にかかわらず、小型化が利点となるハンディー型や、縦型、又は直流充電式掃除機等の用途にも使用できるものである。
【図面の簡単な説明】
【００２３】
【図１】本発明の実施の形態における電動送風機のファン部の部分拡大断面図
【図２】同、電動送風機のファン部のエアーガイド中央窪み部裏側放射状リブ構成時の拡大部分断面図
【図３】同、電動送風機のファン部のエアーガイド周方向位置決め時のエアーガイド平面図
【図４】従来例における電動送風機の側面部分断面図
【図５】従来例におけるファン部の部分拡大断面図
【図６】従来例における電気掃除機まわりの断面図
【符号の説明】
【００２４】
４  軸受
５  負荷側ブラケット
６  反負荷側ブラケット
９  界磁
１０  エアーガイド
１１  インペラ
１２  ケーシング
１４  座金
１９  電動送風機
２２  電機子巻線
２３  界磁巻線
５１  電機子
５２  整流子
５３  軸
１１０  案内翼
２００  軸受室
２０１  中央窪み部
２０２  円形穴
２０３  タイトリブ
２０５  ブラケット折り曲げ淵
２０６  位置決めリブ
２０７  回り止めリブ
【図１】
2010249037.tif 000003
【図２】
2010249037.tif 000004
【図３】
2010249037.tif 000005
【図４】
2010249037.tif 000006
【図５】
2010249037.tif 000007
【図６】
2010249037.tif 000008